(57)【要約】      （修正有）【課題】環部材を回動させて自在に水の噴出方向を設定でき振動による環部材の過回動を阻止し弁体の緩みを阻止でき、環部材を嵌合凹部から外さずに水の噴出方向を調整できる消雪ノズルを提供する。【解決手段】ノズル本体３の先端開口部１に環部材６を嵌入し得る嵌合凹部７を設け、環部材６には通水路４と連通して水の噴出方向や角度を規定する散水路２を形成する。環部材６に弁体９が挿通する挿通孔５を形成し、弁体９の係止段部５ａとノズル本体３と螺合する螺子部９ｂを設け、螺子部９ｂと螺合してノズル本体３に環部材６が押さえ込み状態に止着されるように構成し、環部材６の回り止め係止部６ａがノズル本体３の回り止め係止部３ａに係止することで環部材６の過回動を阻止し得るように構成し、環部材６は嵌合凹部７に嵌入された状態で所定範囲を自在に回動させて水の噴出方向を変更し、弁体９に設けた弁機構により散水量を調節して散水する。【選択図】        図１
2004251005.tif 000002
【特許請求の範囲】
【請求項１】
ノズル本体の先端開口部に、環部材を嵌入し得る嵌合凹部を設け、この環部材は前記ノズル本体の通水路内壁から突設された嵌入支承部により支承されて前記嵌合凹部と嵌合し、この環部材には前記通水路と連通して水の噴出方向及び噴出角度を規定する散水路が形成され、この環部材には、弁体が挿通される挿通孔を形成し、この挿通孔には前記弁体の頭部の係止部が係止する係止段部を設け、この弁体には前記ノズル本体の通水路に設けられた螺合部と螺合する螺子部を設け、弁体を前記挿通孔に挿通し、前記螺子部を螺合部と螺合することで前記ノズル本体に環部材が押さえ込み状態に止着されるように構成し、前記弁体を軸として回動するこの環部材と前記ノズル本体とに回り止め係止部を夫々設け、前記環部材に設けた回り止め係止部が前記ノズル本体に設けた回り止め係止部に突き当たり係止することで前記環部材の過回動を阻止し得るように構成し、前記環部材は、前記嵌合凹部に嵌入された状態で前記環部材に設けた回り止め係止部が前記ノズル本体に設けた回り止め係止部に突き当たり係止するまでの所定範囲を自在に回動させて前記水の噴出方向を変更し得るように構成し、前記弁体に設けた弁機構により散水量を調節して環部材の散水路より散水することを特徴とする消雪ノズル。
【請求項２】
前記環部材に設けた回り止め係止部をこの環部材にして前記ノズル本体基端側に設け、前記ノズル本体に設けた回り止め係止部をこのノズル本体の通水路内壁にして嵌入支承部と螺合部との間に設けられた設置面に設けたことを特徴とする請求項１に記載の消雪ノズル。
【請求項３】
前記環部材に設けた回り止め係止部と前記ノズル本体に設けた回り止め係止部のいずれか一方を凸部とし、他方をこの凸部と嵌合する凹部とし、この凹部を前記凸部が所定範囲を自在に回動し得る間隔に設定したことを特徴とする請求項１，２のいずれか１項に記載の消雪ノズル。
【請求項４】
前記環部材に設けた回り止め係止部と前記ノズル本体に設けた回り止め係止部の双方を凸部とし、前記環部材がこの凸部同志が突き当たり係止するまでの所定範囲を自在に回動し得るように設定したことを特徴とする請求項１，２のいずれか１項に記載の消雪ノズル。
【請求項５】
前記環部材に設けた回り止め係止部若しくは前記ノズル本体に設けた回り止め係止部を複数設けたことを特徴とする請求項１〜４のいずれか１項に記載の消雪ノズル。
【発明の詳細な説明】
【０００１】
【発明の属する技術分野】
本発明は、消雪ノズルに関するものである。
【０００２】
【従来の技術及び発明が解決しようとする課題】
地面に埋設して消雪を行う消雪ノズルとしては、例えば、ノズル本体の先端開口部に、環部材を嵌入し得る嵌合凹部を設け、この環部材には前記通水路と連通して前記水の噴出方向及び噴出角度を規定する散水路が形成され、この環部材には、弁体が挿通される挿通孔を形成し、この挿通孔には前記弁体の頭部の係止部が係止する係止段部を設け、この弁体には前記ノズル本体の通水路に設けられた螺合部と螺合する螺子部を設け、弁体を前記挿通孔に挿通し、前記螺子部を螺合部と螺合することで前記ノズル本体に環部材が押さえ込み状態に止着されるように構成し、弁体に設けた弁機構により散水量を調節して環部材の散水路より散水するものがある。
【０００３】
具体的には、前記通水路を前記環部材に穿設した構造や、この環部材と弁体との間若しくは環部材と嵌合凹部との間に前記通水路を設けた構造等、種々の構造がある。
【０００４】
一般的に、消雪ノズルは自動車が走行する道路に埋設されることが多く、この自動車が消雪ノズル上を走行することで前記環部材が回動したり、直接上面を走行しなくても前記自動車の走行によって伝わる振動により前記環部材ががたついて回動したりすることで、この環部材を押さえ込み止着する弁体を緩めることがあり、場合によってはこの環部材が外れてしまうおそれがある。
【０００５】
そこで、従来は、特許第３１５６９１４号公報に開示されるように、前記ノズル本体の嵌合凹部と環部材とに突起と窪み部とから成る位置決め部を設け、この位置決め部によって前記環部材を位置決めすることで前記自動車等の振動による環部材の回動を阻止していた。
【０００６】
ところで、消雪ノズルを使用する際、例えば前記散水路がノズル本体の上面に９０度間隔で形成して四方に水を噴出させて消雪を行うように設定されているとすると、前記散水路同志の間には水が届きにくく、雪が残ってしまう部分が生じるため（例えば、双方から４５度の位置等）、前記水の噴出方向を変更したい場合がある。
【０００７】
しかし、従来の消雪ノズルの場合、前記嵌合凹部に嵌入したままでは環部材を回動させることができないため、水の噴出方向が異なる環部材等に一々交換しなければ、前記水の噴出方向を変更することができず、そのため、噴出方向の夫々異なる数種類の環部材を用意する必要があり、煩わしさは避けられない。
【０００８】
本発明は、上述のような現状に鑑み、弁体を軸として回動するこの環部材とノズル本体とに回り止め係止部を夫々設け、前記環部材に設けた回り止め係止部が前記ノズル本体に設けた回り止め係止部に突き当たり係止することで前記環部材の過回動を阻止し得るように構成し、前記環部材は、前記嵌合凹部に嵌入された状態で前記環部材に設けた回り止め係止部が前記ノズル本体に設けた回り止め係止部に突き当たり係止するまでの所定範囲を自在に回動させて前記水の噴出方向を変更し得るように構成することで、一つの前記環部材を回動させて嵌合凹部に嵌入することで自在に水の噴出方向を設定できるだけでなく、振動による前記環部材の過回動を阻止してこの過回動により前記弁体が緩んでしまうことを阻止でき、更に、この環部材を嵌合凹部から外す必要なくこの嵌合凹部に嵌入した状態で回動させて前記水の噴出方向を調整することもできる極めて容易且つコスト安に水の噴出方向を変更できる極めて実用性に秀れた消雪ノズルを提供するものである。
【０００９】
【課題を解決するための手段】
添付図面を参照して本発明の要旨を説明する。
【００１０】
ノズル本体３の先端開口部１に、環部材６を嵌入し得る嵌合凹部７を設け、この環部材６は前記ノズル本体３の通水路４内壁から突設された嵌入支承部１０により支承されて前記嵌合凹部７と嵌合し、この環部材６には前記通水路４と連通して水の噴出方向及び噴出角度を規定する散水路２が形成され、この環部材６には、弁体９が挿通される挿通孔５を形成し、この挿通孔５には前記弁体９の頭部の係止部９ａが係止する係止段部５ａを設け、この弁体９には前記ノズル本体３の通水路４に設けられた螺合部８と螺合する螺子部９ｂを設け、弁体９を前記挿通孔５に挿通し、前記螺子部９ｂを螺合部８と螺合することで前記ノズル本体３に環部材６が押さえ込み状態に止着されるように構成し、前記弁体９を軸として回動するこの環部材６と前記ノズル本体３とに回り止め係止部６ａ，３ａを夫々設け、前記環部材６に設けた回り止め係止部６ａが前記ノズル本体３に設けた回り止め係止部３ａに突き当たり係止することで前記環部材６の過回動を阻止し得るように構成し、前記環部材６は、前記嵌合凹部７に嵌入された状態で前記環部材６に設けた回り止め係止部６ａが前記ノズル本体３に設けた回り止め係止部３ａに突き当たり係止するまでの所定範囲を自在に回動させて前記水の噴出方向を変更し得るように構成し、前記弁体９に設けた弁機構により散水量を調節して環部材６の散水路２より散水することを特徴とする消雪ノズルに係るものである。
【００１１】
また、前記環部材６に設けた回り止め係止部６ａをこの環部材６にして前記ノズル本体３基端側に設け、前記ノズル本体３に設けた回り止め係止部３ａをこのノズル本体３の通水路４内壁にして嵌入支承部１０と螺合部８との間に設けられた設置面１１に設けたことを特徴とする請求項１に記載の消雪ノズルに係るものである。
【００１２】
また、前記環部材６に設けた回り止め係止部６ａと前記ノズル本体３に設けた回り止め係止部３ａのいずれか一方を凸部とし、他方をこの凸部と嵌合する凹部とし、この凹部を前記凸部が所定範囲を自在に回動し得る間隔に設定したことを特徴とする請求項１，２のいずれか１項に記載の消雪ノズルに係るものである。
【００１３】
また、前記環部材６に設けた回り止め係止部６ａと前記ノズル本体３に設けた回り止め係止部３ａの双方を凸部とし、前記環部材６がこの凸部同志が突き当たり係止するまでの所定範囲を自在に回動し得るように設定したことを特徴とする請求項１，２のいずれか１項に記載の消雪ノズルに係るものである。
【００１４】
また、前記環部材６に設けた回り止め係止部６ａ若しくは前記ノズル本体３に設けた回り止め係止部３ａを複数設けたことを特徴とする請求項１〜４のいずれか１項に記載の消雪ノズルに係るものである。
【００１５】
【発明の実施の形態】
ノズル本体３を地面に埋設し、弁機構により散水量を調節した水を散水路２から噴出して消雪を行う。
【００１６】
この際、例えばこのノズル本体３の上面を自動車が走行したり、近傍を走行する自動車から伝わる振動によって環部材６が回動したとしても、前記環部材６に設けた回り止め係止部６ａがノズル本体３に設けた回り止め係止部３ａに突き当たり係止することで過回動が阻止されることになる。
【００１７】
即ち、環部材６の回動は無制限でなく、前記環部材６に設けた回り止め係止部６ａが前記ノズル本体３に設けた回り止め係止部３ａに突き当たり係止するまでの所定範囲に限られるから、この環部材６の回動により軸となる弁体９の螺子部９ｂが緩んで外れてしまうことを阻止できる。
【００１８】
しかも、例えば散水路２が９０度間隔で設けられ、この散水路２同志の間に水が届きにくい部分があっても、本発明は、前記嵌合凹部７に環部材６を位置決めする構成でないから、所望の水の噴出方向に設定した上で前記嵌合凹部７に嵌入し、弁体９により押さえ込み止着することができ、水の噴出方向が異なる数種類の環部材６を用意する必要なく、一つの環部材６を回動することで所望の水の噴出方向に設定することができる。
【００１９】
その上、上述のように前記環部材６の回動が環部材６に設けた回り止め係止部６ａが前記ノズル本体３に設けた回り止め係止部３ａに突き当たり係止するまでの所定範囲に限られるということは、いいかえれば、この所定範囲内であれば前記環部材６を自在に回動し得るということであり、例えば前記弁体９を緩めてこの環部材６を回動することでこの環部材６を前記嵌合凹部７に嵌入した状態のままで外す必要なく前記水の噴出方向を微調整できることになる。
【００２０】
また、例えば、前記環部材６に設けた回り止め係止部６ａと前記ノズル本体３に設けた回り止め係止部３ａの双方を凸部とし、前記環部材６がこの凸部同志が突き当たり係止するまでの所定範囲を自在に回動し得るように設定した場合、前記環部材６に設けた回り止め係止部６ａを略３６０度回動させるように設定することもでき、この場合には、前記環部材６を嵌合凹部７に嵌入する前に回動させて前記水の噴出方向を設定する必要なく、前記嵌合凹部７に前記環部材６を嵌入した状態でこの環部材６を回動させて前記水の噴出方向を自在に設定できることになる。
【００２１】
また、例えば、前記環部材６に設けた回り止め係止部６ａと前記ノズル本体３に設けた回り止め係止部３ａのいずれか一方を凸部とし、他方をこの凸部と嵌合する凹部とし、この凹部を前記凸部が所定範囲を自在に回動し得る間隔に設定した場合、前記凹部を凸部が回動する範囲を極めて狭く設定することで、前記凸部がほとんど回動しないように設定することもでき、この場合には、前記自動車等による振動による環部材６の回動を阻止できることになる。
【００２２】
従って、本発明は、一つの環部材を回動させて嵌合凹部に嵌入することで自在に水の噴出方向を設定できるだけでなく、振動による前記環部材の過回動を阻止してこの過回動により前記弁体が緩んでしまうことを阻止でき、更に、この環部材を嵌合凹部から外す必要なくこの嵌合凹部に嵌入した状態で回動させて前記水の噴出方向を調整することもできる極めて容易且つコスト安に水の噴出方向を変更できる極めて実用性に秀れた消雪ノズルを提供できることとなる。
【００２３】
【実施例】
本発明の具体的な実施例について図面に基づいて説明する。
【００２４】
本実施例は、ノズル本体３の先端開口部１に、環部材６を嵌入し得る嵌合凹部７を設け、この環部材６は前記ノズル本体３の通水路４内壁から突設された嵌入支承部１０により支承されて前記嵌合凹部７と嵌合し、この環部材６には前記通水路４と連通して水の噴出方向及び噴出角度を規定する散水路２が形成され、この環部材６には、弁体９が挿通される挿通孔５を形成し、この挿通孔５には前記弁体９の頭部の係止部９ａが係止する係止段部５ａを設け、この弁体９には前記ノズル本体３の通水路４に設けられた螺合部８と螺合する螺子部９ｂを設け、弁体９を前記挿通孔５に挿通し、前記螺子部９ｂを螺合部８と螺合することで前記ノズル本体３に環部材６が押さえ込み状態に止着されるように構成し、前記弁体９を軸として回動するこの環部材６と前記ノズル本体３とに回り止め係止部６ａ，３ａを夫々設け、前記環部材６に設けた回り止め係止部６ａが前記ノズル本体３に設けた回り止め係止部３ａに突き当たり係止することで前記環部材６の過回動を阻止し得るように構成し、前記環部材６は、前記嵌合凹部７に嵌入された状態で前記環部材６に設けた回り止め係止部６ａが前記ノズル本体３に設けた回り止め係止部３ａに突き当たり係止するまでの所定範囲を自在に回動させて前記水の噴出方向を変更し得るように構成し、前記弁体９に設けた弁機構により散水量を調節して環部材６に穿設した孔から成る散水路２より散水するものである。
【００２５】
具体的には、前記環部材６に設けた回り止め係止部６ａをこの環部材６にして前記ノズル本体３基端側に突出状態に設け、前記ノズル本体３に設けた回り止め係止部３ａをこのノズル本体３の通水路４内壁にして嵌入支承部１０と螺合部８との間に設けられた設置面１１に前記環部材６側に突出状態に設けたものである。
【００２６】
更に具体的に説明すると、前記環部材６に設けた回り止め係止部６ａ及び前記ノズル本体３に設けた回り止め係止部３ａを夫々凸部とし、この凸部同志が突き当たり係止するまで前記環部材６を回動自在に設定したものである。
【００２７】
また、本実施例は図１に図示したように、前記ノズル本体３の上部を径大部１３とし、この径大部１３に前記嵌合凹部７を形成し、この嵌合凹部７の下方を前記径大部１３より径小として前記嵌入支承部１０に設定し、このノズル本体３の略中央部に前記螺合部８を形成したものである。
【００２８】
更に、本実施例は、この嵌入支承部１０と螺合部８との略中間位置に水平方向に突出する径小部１４を形成し、前記径大部１３からこの径小部１４の手前までを、なだらかに下り傾斜する傾斜面１６に設定している。
【００２９】
尚、図注符号１８は送水管に立設した立ち上がり送水管である。
【００３０】
図１〜６は第一実施例を図示したものであり、この第一実施例は、前記設置面１１として前記径小部１４上面を採用し、この径小部１４上面に前記ノズル本体３に設けた回り止め係止部３ａを設け、前記環部材６の挿通孔５に設けた係止段部５ａにして前記弁体９の頭部の係止部９ａとの当接面の裏面１５（前記径小部１４上面と対向する面）に、前記環部材６に設けた回り止め係止部６ａを設けたものである。
【００３１】
また、第一実施例の内、図３，４に図示したものは、前記ノズル本体３に設けた回り止め係止部３ａを対向する位置に一対設け、前記環部材６に設けた回り止め係止部６ａを一つ設けた構成である。
【００３２】
即ち、前記環部材６が略１８０度自由に回動できるように設定して略自由に水の噴出方向を変更することができるように構成したが、前記環部材６に設けた回り止め係止部６ａと前記ノズル本体３に設けた回り止め係止部６ａとを一つずつ設けた構成としても良く、この場合には略３６０度自由に前記環部材６を回動できることになり、より一層自由に前記水の噴出方向を変更できることになる。
【００３３】
一方、図５，６に図示したものは、前記ノズル本体３に設けた回り止め係止部３ａを対向する位置に設けた一対と、この一対と斜設状態に設けた一つを加え計三つを設け、前記環部材６に設けた回り止め係止部６ａを前記ノズル本体３に設けた回り止め係止部３ａの幅と略同じ間隔に二つ設けた構成である。
【００３４】
即ち、前記環部材６に設けた回り止め係止部６ａで前記ノズル本体３に設けた回り止め係止部３ａを挾持するように前記環部材６を嵌合凹部７に嵌入すると、この環部材６の回動は略阻止されることになり、逆に前記ノズル本体３に設けた回り止め係止部３ａ間に前記環部材６に設けた二つの回り止め係止部６ａを配設するように前記環部材６を嵌合凹部７に嵌入すると、この環部材６は所定間隔だけ自由に回動できるように設定している。
【００３５】
従って、第一実施例は、一つの環部材を回動して嵌合凹部に嵌入することで自在に水の噴出方向を設定できるだけでなく、振動による前記環部材の過回動を阻止してこの過回動により前記弁体が緩んでしまうことを阻止でき、更に、この環部材を嵌合凹部から外す必要なくこの嵌合凹部に嵌入した状態で回動させて前記水の噴出方向を調整することもできる極めて容易且つコスト安に水の噴出方向を変更できる極めて実用性に秀れたものとなる。
【００３６】
図７〜９は第二実施例を図示したものであり、この第二実施例は、前記設置面１１として前記径小部１４内面を採用し、この径小部１４内面に前記ノズル本体３に設けた回り止め係止部３ａを前記環部材６の回動方向に所定間隔で多数設けた王冠部材１２を嵌着し、前記環部材６の挿通孔５に設けた係止段部５ａにして前記弁体９の頭部の係止部９ａとの当接面の裏面１５（前記径小部１４上面と対向する面）に、前記環部材６に設けた回り止め係止部６ａを一つ設けたものである。
【００３７】
また、第二実施例においては、前記王冠部材１２に設けた回り止め係止部３ａ同志の間隔を前記環部材６に設けた回り止め係止部６ａの幅よりやや広く設定して前記環部材６を所定範囲で自在に回動できるように設定している。
【００３８】
また、前記ノズル本体３に設けた回り止め係止部３ａ同志の間隔を前記環部材６に設けた回り止め係止部６ａの幅と略同じ間隔に設定しても良く、この場合には前記環部材６の回動を略阻止し得る構成となり、しかも、前記ノズル本体３に設けた回り止め係止部３ａは前記環部材６の回動方向に多数設けた構成であるから、この環部材６を前記嵌合凹部７から一旦外して回動して以前と異なるノズル本体３に設けた回り止め係止部３ａ間に嵌入することで前記水の噴出方向を自在に設定できることになる。
【００３９】
その余は第一実施例と同様である。
【００４０】
また、図１０，１１は、第二実施例の別例であって、上述とは逆に前記ノズル本体３に設けた回り止め係止部３ａを一つ設け、前記環部材６に設けた回り止め係止部６ａを前記環部材６の回動方向に所定間隔で多数設けた構成としたものである。
【００４１】
その余は第一実施例と同様である。
【００４２】
図１２〜１６は第三実施例を図示したものであり、この第三実施例は、前記設置面１１として前記傾斜面１６を採用し、この傾斜面１６に前記ノズル本体３に設けた回り止め係止部３ａを設け、前記環部材６の前記ノズル本体３基端側にして前記傾斜面１６と対向する位置に前記環部材６に設けた回り止め係止部６ａを設けたものである。
【００４３】
その余は、図１２〜１４は第二実施例と同様であり、図１５，１６は第二実施例の別例と同様である。
【００４４】
また、本実施例においては、前記ノズル本体３に設けた回り止め係止部３ａと前記環部材６に設けた回り止め係止部６ａとを夫々凸部としたが、いずれか一方を凹部としても良い。
【００４５】
また、本実施例の弁体９の弁構造は、図１に図示したような前記弁体９の側面に設けられた開口部９ｃと連通する一端を幅狭とし他端に向かって徐々に幅広となる流量規制溝１７ａを設けた弁杆１７を弁体９内部に設けた構造であり、この弁杆１７の頭部に設けられた凹溝１７ｂにドライバー等を差し込んで回動することにより、前記流量規制溝１７ａと前記開口部９ｃとの連通面積を可変し、通水路４から散水路２に流れる水の流量を制御しているが、異なる構造の弁構造を採用しても良い。
【００４６】
また、本実施例においては、前記環部材６に孔を穿設することで散水路２を構成しているが、前記環部材６と嵌合凹部７との間に形成した溝や、環部材６と弁体９との間に形成した溝により前記散水路２を構成しても良い。
【００４７】
【発明の効果】
本発明は上述のように構成したから、一つの環部材を回動させて嵌合凹部に嵌入することで自在に水の噴出方向を設定できるだけでなく、振動による前記環部材の過回動を阻止してこの過回動により前記弁体が緩んでしまうことを阻止でき、更に、この環部材を嵌合凹部から外す必要なくこの嵌合凹部に嵌入した状態で回動させて前記水の噴出方向を調整することもできる極めて容易且つコスト安に水の噴出方向を変更できる極めて実用性に秀れた消雪ノズルとなる。
【図面の簡単な説明】
【図１】第一実施例の説明側断面図である。
【図２】第一実施例の説明側断面図である。
【図３】第一実施例の環部材の説明裏面図である。
【図４】第一実施例のノズル本体の説明平面図である。
【図５】第一実施例の環部材の説明裏面図である。
【図６】第一実施例のノズル本体の説明平面図である。
【図７】第二実施例の説明側断面図である。
【図８】第二実施例の環部材の説明裏面図である。
【図９】第二実施例のノズル本体の説明平面図である。
【図１０】第二実施例の別例の環部材の説明裏面図である。
【図１１】第二実施例の別例のノズル本体の説明平面図である。
【図１２】第三実施例の説明側断面図である。
【図１３】第三実施例の環部材の説明裏面図である。
【図１４】第三実施例のノズル本体の説明平面図である。
【図１５】第三実施例の環部材の説明裏面図である。
【図１６】第三実施例のノズル本体の説明平面図である。
【符号の説明】
１  先端開口部
２  散水路
３  ノズル本体
３ａ  回り止め係止部
４  通水路
５  挿通孔
５ａ  係止段部
６  環部材
６ａ  回り止め係止部
７  嵌合凹部
８  螺合部
９  弁体
９ａ  係止部
９ｂ  螺子部
１０  嵌入支承部
１１  設置面
【図１】
2004251005.tif 000003
【図２】
2004251005.tif 000004
【図３】
2004251005.tif 000005
【図４】
2004251005.tif 000006
【図５】
2004251005.tif 000007
【図６】
2004251005.tif 000008
【図７】
2004251005.tif 000009
【図８】
2004251005.tif 000010
【図９】
2004251005.tif 000011
【図１０】
2004251005.tif 000012
【図１１】
2004251005.tif 000013
【図１２】
2004251005.tif 000014
【図１３】
2004251005.tif 000015
【図１４】
2004251005.tif 000016
【図１５】
2004251005.tif 000017
【図１６】
2004251005.tif 000018